(57)【要約】【課題】部品管理が容易でＬＥＤの組み付けられたプリント配線基板をランプボックスに容易に組み付けることができるＬＥＤ表示モジュールを提供すること。【解決手段】基板収納ボックス２１は取付ベース部２２とボックス本体部２３とを樹脂成型により一体に設けることにより形成されている。更に、端子２８はＬＥＤ取付基板３１と別体に形成され且つ成型に際して中間部がボックス本体部２３内に埋設されている。また、壁部２３ｂに前記ＬＥＤ取付基板３１を係止する係止溝２７が形成され、ＬＥＤ取付基板３１の基板側接点部（３２ａ，３２ｂ）に接触する端子側接点部（２８ａ）が端子２８に設けられている。【選択図】図１
2008103463.tif 000002
【特許請求の範囲】
【請求項１】
取付ベース部とボックス本体部との間に基板配設空間が形成された基板収納ボックスと、表示用のＬＥＤが板面に取り付けられ且つ前記基板配設空間内に配設されたＬＥＤ取付基板と、前記ＬＥＤ取付基板の配線に接続された端子を備え、前記ボックス本体部の前記取付ベース部とは反対側の壁部に前記ＬＥＤに対応する開口が形成されたＬＥＤ表示モジュールであって、
前記基板収納ボックスは前記取付ベース部と前記ボックス本体部とを樹脂成型により一体に設けることにより形成され、前記端子は前記ＬＥＤ取付基板と別体に形成され且つ前記成型に際して中間部が前記ボックス本体部内に埋設されていると共に、前記壁部に前記ＬＥＤ取付基板を係止する係止部が形成され、前記ＬＥＤ取付基板の基板側接点部に接触する端子側接点部が前記端子に設けられていることを特徴とするＬＥＤ表示モジュール。
【発明の詳細な説明】
【技術分野】
【０００１】
この発明は、表示をさせるＬＥＤがランプボックス内に組み込まれてモジュール化されたＬＥＤ表示モジュールに関するものである。
【背景技術】
【０００２】
この種のＬＥＤ表示モジュールとしては、例えば図８に示したようなものが考えられる。この図８に示したＬＥＤ表示モジュールは、ランプボックス１と、このランプボックス１内に配設されたＬＥＤ組立体２を有する。このランプボックス１は、取付ベース３と、取付ベース３上に配設されたランプボックス本体４を有する。
【０００３】
ＬＥＤ組立体２は、取付ベース３上に当接させられた第１のプリント配線基板５と、この第１のプリント配線基板５の上方に配設された第２のプリント配線基板６と、この第２のプリント配線基板（ＬＥＤ取付基板）６上に取り付けられた複数のＬＥＤ７と、プリント配線基板５，６のプリント配線部を電気的に接続している複数の端子８を有する。この端子８によりプリント配線基板５，６は互いに所定間隔をおいて一体に結合されている。
【０００４】
また、ランプボックス本体４は、第２のプリント配線基板６上に当接又は近接する上壁４ａと、上壁４ａの周縁に下方に向けて連設された側壁４ｂを有する。これにより、ランプボックス本体４内には下方に開口する配設空間Ｓが形成されていて、この配設空間Ｓ内にＬＥＤ組立体２が配設されている。
【０００５】
しかも、上壁４ａには複数のＬＥＤ７にそれぞれ対応して上方に拡開する開口４ｃが形成されている。また、取付ベース３と第１のプリント配線基板５及び側壁４ｂはビス９により一体に固定されている。
【０００６】
さらに、ＬＥＤ表示モジュールは、ランプボックス本体４の上壁４ａ上に貼付固着された拡散板（フィルター）１０と、拡散板１０の上に貼付固着されたレンズ１１を備えている。
【０００７】
ところで、ランプボックス１を構成する取付ベース３とランプボックス本体４の結合にはビス９により行われている。このように複数の部品からボックスやケースを形成する場合、ビス等を用いるのが普通である（例えば、特許文献１参照）。
【特許文献１】特開２００５−２２２８１１号公報
【発明の開示】
【発明が解決しようとする課題】
【０００８】
しかしながら、ランプボックス１を形成するのに多数の部品（取付ベース３，ランプボックス本体４，多数のビス９等）が必要となり、部品管理に手間が掛かるものであった。
【０００９】
また、取付ベース３とランプボックス本体４は多数のビス９でＬＥＤ組立体２と一体に固定するために、ＬＥＤ組立体２の組み付けに手間と、時間がかかるものであった。
【００１０】
そこで、この発明は、部品管理が容易でＬＥＤの組み付けられたプリント配線基板をランプボックスに容易に組み付けることができるＬＥＤ表示モジュールを提供することを目的とするものである。
【課題を解決するための手段】
【００１１】
この目的を達成するため、請求項１の発明は、取付ベース部とボックス本体部との間に基板配設空間が形成された基板収納ボックスと、表示用のＬＥＤが板面に取り付けられ且つ前記基板配設空間内に配設されたＬＥＤ取付基板と、前記ＬＥＤ取付基板の配線に接続された端子を備え、前記ボックス本体部の前記取付ベース部とは反対側の壁部に前記ＬＥＤに対応する開口が形成されたＬＥＤ表示モジュールであって、前記基板収納ボックスは前記取付ベース部と前記ボックス本体部とを樹脂成型により一体に設けることにより形成され、前記端子は前記ＬＥＤ取付基板と別体に形成され且つ前記成型に際して中間部が前記ボックス本体部内に埋設されていると共に、前記壁部に前記ＬＥＤ取付基板を係止する係止部が形成され、前記ＬＥＤ取付基板の基板側接点部に接触する端子側接点部が前記端子に設けられているＬＥＤ表示モジュールとしたことを特徴とする。
【発明の効果】
【００１２】
この構成によれば、部品管理が容易でＬＥＤの組み付けられたプリント配線基板をランプボックスに容易に組み付けることができる。
【発明を実施するための最良の形態】
【００１３】
以下、この発明の実施の形態を図面に基づいて説明する。
【００１４】
図１（ａ）において２０はＬＥＤ表示モジュールで、このＬＥＤ表示モジュール２０は樹脂製の基板収納ボックス２１を有する。この基板収納ボックス２１は、樹脂製で平板状の取付ベース部２２と、この取付ベース部２２から上方に突出する樹脂製のボックス本体部２３を有する。この取付ベース部２２とボックス本体部２３は樹脂成型により一体に形成されている。
【００１５】
このボックス本体部２３は、図中、互いに間隔をおいて対向させられ且つ取付ベース部２２から上方に突出させられた一対の側壁２３ａ，２３ａと、この側壁２３ａ，２３ａの上端同士を連設している方形状の上壁２３ｂを有する。尚、側壁２３ａ，２３ａは、図２（ａ）中、取付ベース部２２の長手方向（左右方向）の略中央部を挟む位置に配設されている。
【００１６】
また、上壁２３ｂと取付ベース２２との間には基板配設空間２４が形成されている。この基板配設空間２４は、側壁２３ａに沿う方向が開放させられている。しかも、上壁２３ｂには図１（ａ），図２（ａ），図２（ｂ）に示したようにマトリックス状に配列された複数の開口２３ｃが形成されている。この各開口２３ｃは、下端から上端に向かうに従ってテーパ状に拡開して、隣接するもの同士が上端では互いに接するようになっている。更に、図１（ａ）に示したように上壁２３ｂの上面には拡散板２５が貼付固着され、拡散板２５上にはレンズ２６が貼付固着されている。
【００１７】
また、側壁２３ａ，２３ａの上端部と上壁２３ｂとの間には、これらの連設部である角部に沿って延びる係止溝２７，２７が形成されている。この各係止溝２７は、側壁２３ａ，２３ａの対向面に形成された係止段部２７ａと、この係止段部２７ａに対向して上壁２３ｂに形成された凹部２３ｂ１との間に形成されている。
【００１８】
更に、側壁２３ａには、上下に延び且つ側壁２３ａに沿って図３のように所定間隔で配設された複数の端子２８が設けられている。この端子２８は、図１（ａ），図１（ｂ）に示したように上端部に設けられた第１の端子側接点部２８ａと、図１（ａ），図１（ｃ）に示すように下端部に設けられた第２の端子側接点部２８ｂを有する。しかも、端子２８の上下方向端部間（上下方向中間部）は、取付ベース部２２とボックス本体部２３を樹脂成型する際に、側壁２３ａ内にインサート成形により埋設されている。
【００１９】
そして、第１の端子側接点部２８ａは、凹部２３ｂ１内に配設されていると共に、下側に折り返すように湾曲させられて弾性（バネ性）が持たせられている。尚、第１の端子側接点部２８ａは幅方向側面には図２（ｃ）の如くＲ状の面取部２８ａ１が形成されていてる。
【００２０】
また、第２の端子側接点部２８ｂは、取付ベース部２２の上面に接するように側壁２３ａから側方に突出させられている。また、第２の端子側接点部２８ｂは図１（ｃ）に示すように上側に湾曲するように折り返されて弾性（バネ性）が持たせられている。
【００２１】
また、図２（ａ）中、取付ベース部２２の短手方向（左右方向と直交する方向）の端部（縁部）には、各側壁２３ａの外側の部分に対応して一対一組の係止爪２９，２９が一体に設けられている。この係止爪２９，２９は、第２の端子側接点部２８ｂに対応して上方に突設されている。また、図４（ａ），図４（ｂ）に示したようにこの係止爪２９，２９は、先端同士が互いに対向する爪部２９ａ，２９ａを有する。しかも、各爪部２９ａには、先端に向かうに従って下方に傾斜する傾斜ガイド２９ｂが形成されている。
【００２２】
更に、ＬＥＤ表示モジュールは、図２（ａ），図２（ｂ），図５に示したように中央に方形状の挿通口３０ａを有するプリント配線基板３０と、挿通口３０ａより僅かに小さく方形状のＬＥＤ取付基板３１を有する。
【００２３】
また、プリント配線基板３０の挿通口３０ａには図２（ｂ）に示したようにボックス本体部２３が嵌合挿通されていると共に、プリント配線基板３０は複数（４つ）の係止爪２９に係止されている。このプリント配線基板３０の下面には、複数の第２の端子側接点部２８ｂにそれぞれ当接する複数の端子部（図示せず）が設けられている。
【００２４】
尚、複数の第２の端子側接点部２８ｂは、その弾性力（バネ力）によりプリント配線基板３０の下面の複数の端子部（図示せず）に弾接すると共に、その弾性力（バネ力）によりプリント配線基板３０を爪部２９ａに押し付けている。これにより、複数の第２の端子側接点部２８ｂとプリント配線基板３０の下面の複数の端子部（図示せず）との接触を確実にしている。
【００２５】
また、図２（ａ）に示したように、ＬＥＤ取付基板３１には複数の表示用のＬＥＤ３２がマトリックス状に取り付けられている。しかも、ＬＥＤ取付基板３１の両側部には、図２に示したように各ＬＥＤ３２の図示しないアノード側とカソード側にそれぞれ接続された一対一組の基板側接点部３２ａ，３２ｂが複数組設けられている。このＬＥＤ取付基板３１は、図１（ａ），図２（ｂ）に示したように両側部がボックス本体部２３の両側の係止溝２７，２７に差し込まれている。しかも、ＬＥＤ取付基板３１の複数の基板側接点部３２ａ及び３２ｂは、自己の弾性力（バネ力）により側壁２３ａ，２３ａの対応する第１の端子側接点部２８ａ，２８ａにそれぞれ弾接させられ、接触を確実にしている。この状態では、ＬＥＤ取付基板３１の両側部が第１の端子側接点部２８ａ，２８ａの弾性力（バネ力）により係止段部２７ａに押し付けて、ＬＥＤ取付基板３１の両側部を係止溝２７，２７内に確実に遊びなく保持している。
【００２６】
次に、このような構成のＬＥＤ表示モジュールの組立について説明する。
【００２７】
また、図２（ａ）の矢印Ｂ１で示したように、プリント配線基板３０を上方から取付ベース２２側に移動させて、このプリント配線基板３０の挿通口３０ａにボックス本体部２３を嵌合挿通した後、このプリント配線基板３０を図４（ａ）のように複数の係止爪２９の傾斜ガイド２９ｂに破線の如く当接させる。
【００２８】
この状態で、プリント配線基板３０を押し下げると、係止爪２９が爪部２９ａの傾斜ガイド２９ｂの作用により自己の弾性力（バネ力）に抗して矢印Ａ１方向に撓められて、プリント配線基板３０が爪部２９ａより下方に移動する。そして、プリント配線基板３０が爪部２９ａより下方に移動すると、係止爪２９が自己の弾性力により原状に復帰して、爪部２９ａが図４（ｂ）のようにプリント配線基板３０の側部上に移動する。
【００２９】
これにより、プリント配線基板３０は複数（４つ）の係止爪２９に係止される。この際、複数の第２の端子側接点部２８ｂは、図１（ｃ）のように自己の弾性力（バネ力）によりプリント配線基板３０の下面の複数の端子部（図示せず）に弾接すると共に、その弾性力（バネ力）によりプリント配線基板３０を爪部２９ａに押し付ける。この結果、複数の第２の端子側接点部２８ｂとプリント配線基板３０の下面の複数の端子部（図示せず）との接触を確実にしている。
【００３０】
また、ＬＥＤ取付基板３１の両側部をボックス本体部２３の両側の係止溝２７，２７に保持させるには、ＬＥＤ３２側を上に向けてＬＥＤ取付基板３１の両側部をボックス本体部２３の両側の係止溝２７，２７に差し込む。この際、ＬＥＤ取付基板３１の両側部は、第１の端子側接点部２８ａの幅方向側面のＲ状の面取部２８ａ１の作用により、この第１の端子側接点部２８ａを自己の弾性力（バネ力）に抗して上方に撓み変形させながら、係止溝２７，２７に差し込まれる。
【００３１】
そして、ＬＥＤ取付基板３１の両側部が係止溝２７，２７に完全に差し込まれると、最終的には図１（ｂ）に示したようにＬＥＤ取付基板３１の複数の基板側接点部３２ａ及び３２ｂが側壁２３ａ，２３ａの対応する第１の端子側接点部２８ａ，２８ａに第１の端子側接点部２８ａ，２８ａの弾性力によりそれぞれ弾接させられる。この状態では、ＬＥＤ取付基板３１の両側部が第１の端子側接点部２８ａ，２８ａの弾性力（バネ力）により係止段部２７ａに押し付けて、ＬＥＤ取付基板３１の両側部を係止溝２７，２７内に確実に遊びなく保持される。
【００３２】
しかも、ＬＥＤ取付基板３１の両側部が係止溝２７，２７に完全に差し込まれると、最終的にはＬＥＤ取付基板３１の複数のＬＥＤ３２がボックス本体部２３の上壁２３ｂに設けた複数の開口２３ｃにそれぞれ臨む状態となる。
【００３３】
この状態で、プリント配線基板３０に設けた図示しないプリント配線や側壁２３ａ，２３ａの端子２８，２８を及び基板側接点部３２ａ，３２ｂを介してＬＥＤ３２に通電することにより、ＬＥＤ３２を発光させることができる。この際、複数のＬＥＤ３２の発光制御により表示を行うことができる。この表示内容は、一定であっても良いし、ＬＥＤ３２の数を多くして、発光させるＬＥＤ３２を適宜図示しない制御回路等で選択することで、変更することもできる。このような制御には周知のものを採用できるので、その詳細な説明は省略する。
【００３４】
上述したようにプリント配線基板３０は単に押し下げるだけで取付ベース部２２上に固定でき、ＬＥＤ取付基板３１は両側部を単に係止溝２７，２７に差し込むだけでボックス本体部２３に保持させることができる。
（変形例）
また、以上説明した実施例では、ＬＥＤ取付基板３１の両側部を係止溝２７，２７に差し込むことにより、ＬＥＤ取付基板３１の両側部をボックス本体部２３に保持させるようにしたが、必ずしもこれに限定されるものではない。
【００３５】
例えば、図６（ａ），図６（ｂ），図７（ａ），図７（ｂ）に示したように、基板配設空間２４の開口端側に位置させてボックス本体部２３の上壁２３ｂの互いに反対側の縁部に係止爪３３，３３を設けて、この係止爪３３，３３でＬＥＤ取付基板３１を上壁２３ｂに保持させるようにしても良い。
【００３６】
この係止爪３３，３３は先端が互いに対向する爪部３３ａ，３３ａを有し、爪部３３ａ，３３ａの下面には先端に向かうに従った上方に傾斜する傾斜ガイド３３ｂ，３３ｂが設けられている。
【００３７】
また、ＬＥＤ取付基板３１の両側部をボックス本体部２３の上壁２３ｂに保持させるには、ＬＥＤ３２側を上に向けてＬＥＤ取付基板３１を図６（ａ）の状態から矢印Ａ２で示したように基板配設空間２４内に配設した後、矢印Ａ３で示した方向にＬＥＤ取付基板３１を上方に移動させて、このＬＥＤ取付基板３１を図７（ａ）のように複数の係止爪３３，３３の傾斜ガイド３３ｂ，３３ｂに破線の如く当接させる。
【００３８】
この状態で、ＬＥＤ取付基板３１を押し上げると、係止爪３３が爪部３３ａの傾斜ガイド３３ｂの作用により矢印Ａ４で示した方向に自己の弾性力（バネ力）に抗して撓められて、ＬＥＤ取付基板３１が爪部より上方に移動する。そして、ＬＥＤ取付基板３１が爪部より上方に移動すると、係止爪が自己の弾性力により原状に復帰して、爪部がＬＥＤ取付基板３１の側部下方に移動する。
【００３９】
これにより、ＬＥＤ取付基板３１が図６（ｂ），図７（ｂ）に示したように複数の係止爪に係止され、ＬＥＤ取付基板３１の複数の基板側接点部３２ａ及び３２ｂが側壁２３ａ，２３ａの対応する第１の端子側接点部２８ａ，２８ａに第１の端子側接点部２８ａ，２８ａの弾性力によりそれぞれ弾接させられる。この状態では、ＬＥＤ取付基板３１の両側部が第１の端子側接点部２８ａ，２８ａの弾性力（バネ力）により係止段部２７ａに押し付けて、ＬＥＤ取付基板３１の両側部を係止溝２７，２７内に確実に遊びなく保持される。
【００４０】
しかも、ＬＥＤ取付基板３１の両側部が係止溝２７，２７に完全に差し込まれると、最終的にはＬＥＤ取付基板３１の複数のＬＥＤ３２がボックス本体部２３の上壁２３ｂに設けた複数の開口２３ｃにそれぞれ臨む状態となる。
【００４１】
尚、この変形例において、上述した実施例と同一または類似する部分には上述した実施例に付した符号と同一の符号を付して、その説明を省略する。
【００４２】
以上説明したように、この発明の実施の形態のＬＥＤ表示モジュール２０は、取付ベース部２２とボックス本体部２３との間に基板配設空間２４が形成された基板収納ボックス２１と、表示用のＬＥＤ３２が板面に取り付けられ且つ前記基板配設空間２４内に配設されたＬＥＤ取付基板３１と、前記ＬＥＤ取付基板３１の配線に接続された端子２８を備えている。しかも、前記ボックス本体部２３の前記取付ベース部２２とは反対側の壁部２３ｂに前記ＬＥＤ３２に対応する開口２３ｃが形成されている。また、前記基板収納ボックス２１は前記取付ベース部２２と前記ボックス本体部２３とを樹脂成型により一体に設けることにより形成されている。更に、前記端子２８は前記ＬＥＤ取付基板３１と別体に形成され且つ前記成型に際して中間部が前記ボックス本体部２３内に埋設されている。また、前記壁部２３ｂに前記ＬＥＤ取付基板３１を係止する係止部（係止溝２７、係止爪３３）が形成され、前記ＬＥＤ取付基板３１の基板側接点部（３２ａ，３２ｂ）に接触する端子側接点部（２８ａ）が前記端子２８に設けられている。
【００４３】
このような構成によれば、部品管理が容易でＬＥＤの組み付けられたプリント配線基板をランプボックスに容易に組み付けることができる。
【図面の簡単な説明】
【００４４】
【図１】（ａ）はこの発明に係るＬＥＤ表示モジュールの断面図、（ｂ）は（ａ）の第１の端子側接点部周辺の拡大説明図、（ｃ）は（ａ）の第１の端子側接点部周辺の拡大説明図である。
【図２】（ａ）は図１（ａ）の拡散板及びレンズを除いた状態の部品分解斜視図、（ｂ）は（ａ）の部品を組み付けた状態の斜視図、（ｃ）は図1（ｂ）の第1端子側接点部の断面図である。
【図３】図１の端子の配列を示す説明図である。
【図４】（ａ），（ｂ）は図２（ａ）のプリント配線基板の組み付けを説明する概略説明図である。
【図５】図２のプリント配線基板とＬＥＤ取付基板との関係を説明する概略説明図である。
【図６】（ａ）はこの発明の変形例を示す部品分解斜視図、（ｂ）は（ａ）の部品を組み付けた状態の斜視図である。
【図７】（ａ），（ｂ）は図６（ａ）のプリント配線基板の組み付けを説明する概略説明図である。
【図８】ＬＥＤ表示モジュールの一例を示す側面図である。
【符号の説明】
【００４５】
２０・・・ＬＥＤ表示モジュール
２１・・・基板収納ボックス
２２・・・取付ベース部
２３・・・ボックス本体部
２３ｂ・・・壁部
２３ｃ・・・開口
２４・・・基板配設空間
２７・・・係止溝（係止部）
２８・・・端子
２８ａ・・・第１の端子側接点部
３２・・・ＬＥＤ
３２ａ，３２ｂ・・・基板側接点部
３１・・・ＬＥＤ取付基板
３３・・・係止爪（係止部）
【図１】
2008103463.tif 000003
【図２】
2008103463.tif 000004
【図３】
2008103463.tif 000005
【図４】
2008103463.tif 000006
【図５】
2008103463.tif 000007
【図６】
2008103463.tif 000008
【図７】
2008103463.tif 000009
【図８】
2008103463.tif 000010